(57)【要約】【課題】電子機器の検査工程において、電子機器に通信ケーブルを接続しなくとも、目視に依らず動作状態情報の記録が可能である電子機器の検査方法を提供する。【解決手段】本発明の電子機器の検査方法は、表示部１１を具えた電子機器１を試験的に動作させる第１工程と、前記第１工程により得られた前記電子機器１の動作状態情報を、前記表示部１１にバーコード表示、２次元コード表示、又は文字表示させる第２工程と、前記表示部１１に表示された前記動作状態情報を、スキャナ７で読み取って記録手段５４に記録する第３工程と、を含む。本発明によれば、動作状態情報は、電子機器に非接触で収集及び記録されるから、検査工程において電子機器への通信ケーブルの接続及び取外しが不要となり、検査工程の簡素化が図れる。さらに、データ通信用端子が不要である電子機器について、検査工程を行う目的でデータ通信用端子を設ける必要が無くなり、電子機器のコストダウンが図れる。【選択図】図２
2005017247.tif 000002
【特許請求の範囲】
【請求項１】
表示部（１１）を具えた電子機器（１）を試験的に動作させる第１工程と、
前記第１工程により得られた前記電子機器（１）の動作状態情報を、前記表示部（１１）にバーコード表示、２次元コード表示、又は文字表示させる第２工程と、
前記表示部（１１）に表示された前記動作状態情報を、スキャナ（７）で読み取って記録手段（５４）に記録する第３工程と、を含む電子機器の検査方法。
【請求項２】
シグナルジェネレータ（９）から検査信号を電波として発信し、表示部（１１）を具えた放送受信機（１）に前記検査信号を受信させて、前記放送受信機（１）を試験的に動作させる第１工程と、
前記第１工程により得られた前記放送受信機（１）の動作状態情報を、前記表示部（１１）にバーコード表示、２次元コード表示、又は文字表示させる第２工程と、
前記表示部（１１）に表示された前記動作状態情報を、スキャナ（７）で読み取って記録手段（５４）に記録する第３工程と、を含む放送受信機の検査方法。
【発明の詳細な説明】
【０００１】
【発明が属する技術分野】
本発明は、電子機器の検査方法に関するものである。より詳細には表示部を具える電子機器の検査方法に関する。
【０００２】
【従来の技術】
電子機器の製造工程では、組み立てられた電子機器の検査工程が行われる。この検査工程では、電子機器を試験的に動作させてその動作状態情報を記録し、記録された動作状態情報に基づいて、検査対象である電子機器が正常に動作するか否かが判断される。
【０００３】
電子機器の一例としてデジタル放送受信機を取り上げると、従来のデジタル放送受信機の検査工程では、該受信機のＲＦ入力端子に伝送ケーブルを接続し、シグナルジェネレータから、該伝送ケーブルを介して検査信号を受信機に送信することにより、受信機を試験的に動作させていた。そして、オペレータが、受信機の表示部に示された該受信機の動作状態情報を、目視により読み取って記録していた。または、受信機とパーソナルコンピュータ（以下、「ＰＣ」と称す）とを通信ケーブルを用いて接続し、受信機から動作状態情報をＰＣに送信して、動作状態情報の記録及び処理等を行っていた。
【０００４】
【特許文献１】
特開平１−１７４１３６号公報
【０００５】
【発明が解決しようとする課題】
しかしながら、上記のような従来の検査方法では、デジタル放送受信機の検査を行うには、ＰＣとデータ通信するための通信ケーブルを受信機に接続する必要があった。製造工程においては、多数の受信機について検査が行われるから、このようなケーブルの接続作業は、作業者に大きな負担となっていた。
【０００６】
また、携帯用のデジタル放送受信機等では、ＰＣとの間でデータ通信が可能であることが求められるために、通信ケーブルが接続されるデータ通信用端子が必要とされるが、このようなデータ通信用端子は、例えば、車載用のデジタル放送受信機には不必要である。従って、一部のデジタル放送受信機では、検査工程にのみ用いられるデータ通信用端子及び該端子用の回路が設けられることでコストが増加していた。一方、オペレータによる目視によって動作状態情報が読み取られる場合、オペレータの誤認や誤記等によって正しい動作状態情報が得られない事態が度々生じてしまう。
【０００７】
本発明は、上記の問題を解決するものであり、デジタル放送受信機等の電子機器の検査工程において、電子機器に通信ケーブルを接続しなくとも、また、オペレータの目視に依らずとも、動作状態情報の記録が可能である電子機器の検査方法を提供することを目的とする。
【０００８】
【課題を解決するための手段】
本発明の電子機器の検査方法は、表示部を具えた電子機器を試験的に動作させる第１工程と、前記第１工程により得られた前記電子機器の動作状態情報を、前記表示部にバーコード表示、２次元コード表示、又は文字表示させる第２工程と、前記表示部に表示された前記動作状態情報を、スキャナで読み取って記録手段に記録する第３工程と、を含む。
【０００９】
本発明の放送受信機の検査方法は、シグナルジェネレータから検査信号を電波として発信し、表示部を具えた放送受信機に前記検査信号を受信させて、前記放送受信機を試験的に動作させる第１工程と、前記第１工程により得られた前記放送受信機の動作状態情報を、前記表示部にバーコード表示、２次元コード表示、又は文字表示させる第２工程と、前記表示部に表示された前記動作状態情報を、スキャナで読み取って記録手段に記録する第３工程と、を含む。
【００１０】
【作用及び効果】
電子機器を試験的に動作させることによって得られた動作状態情報を、電子機器が具える表示部にバーコード表示、２次元コード表示、又は文字表示させてスキャナで読み取り、記録手段に記録することにより、電子機器にデータ通信用ケーブルを接続しなくとも、目視に依らない動作状態情報の確実な記録が可能となる。また、動作状態情報は、電子機器に非接触で収集及び記録されるから、検査工程において電子機器への通信ケーブルの接続及び取外しが不要となり、検査工程の簡素化が図れる。さらに、一般的な使用においてデータ通信用端子が不要である電子機器について、検査工程を行う目的でデータ通信用端子等を設ける必要が無くなり、電子機器のコストダウンが図れる。加えて、本発明の電子機器の検査方法によれば、検査システムをＰＣ等で一元的に管理することができるので、検査工程の自動化が図られる。
【００１１】
また、電子機器が放送受信機である場合、シグナルジェネレータから検査信号を電波として発信して、放送受信機を試験的に動作させると、通信ケーブルに加えて、検査信号の伝送ケーブルを放送受信機に接続及び取外しする必要がなくなり、さらに検査工程の簡略化を図ることができる。
【００１２】
【発明の実施の形態】
以下、本発明の実施例について図を用いて説明する。本実施例では、検査対象となる電子機器を、車載用デジタル放送受信機としている。図１は、本実施例のデジタル放送受信機（１）の検査方法に係る検査システム（３）の概要を示す斜視図である。デジタル放送受信機（１）の前面部には、操作用の各種ボタンや表示部（１１）等が配設されている。検査システム（３）は、本体部（５）と、該本体部（５）に接続されたスキャナ（７）及びシグナルジェネレータ（９）とを含んでいる。検査工程において、デジタル放送受信機（１）は、その表示部（１１）がスキャナ（７）と対向するように配置される。スキャナ（７）は、検査工程において、デジタル放送受信機（１）の表示部（１１）から動作状態情報を読み取るものであり、シグナルジェネレータ（９）は、検査工程において、デジタル放送受信機（１）を試験的に動作させる検査信号を発信するものである。本体部（５）は、検査システム（３）の動作及び処理等を一元的に管理している。
【００１３】
図２は、デジタル放送受信機（１）及び検査システム（３）の概要を示すブロック図である。まず、デジタル放送受信機（１）について説明する。該デジタル放送受信機（１）は、ＤＡＢ（Ｄｉｇｉｔａｌ  Ａｕｄｉｏ  Ｂｒｏａｄｃａｓｔｉｎｇ）方式に代表されるデジタルラジオ放送を受信するものである。デジタルラジオ放送では、デジタル信号化された音声情報が、デジタルデータである文字情報や画像情報等の付加情報と多重化されて、ＲＦ信号として送信される。デジタル放送受信機（１）は、アンテナ（１２）によってこのようなデジタル放送信号を受信する。放送信号はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式等により変調されており、チューナ部（１３）は、受信した放送信号に復調処理等を行い、デコーダ部（１４）に出力する。
【００１４】
放送信号において、音声情報は、ＭＰＥＧ２（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩ）等の圧縮方式により符号化されており、さらに誤り訂正符号化がなされている。また、付加情報にも誤り訂正符号化がなされており、付加情報に画像情報が含まれる場合、該画像情報は、ＪＰＥＧ（Ｊｏｉｎｔ  Ｐｈｏｔｏｇｒａｐｈｉｃ  Ｅｘｐｅｒｔｓ  Ｇｒｏｕｐ）方式等で圧縮符号化され、さらに、誤り訂正符号化がなされている。デコーダ部（１４）は、音声情報及び付加情報について、これらの符号化に対する復号処理を行なう。
【００１５】
復号処理がなされた音声情報は、Ｄ／Ａ変換部（１５）に送られてデジタル音声信号からアナログ音声信号に変換される。該アナログ音声信号は、増幅部（１６）で増幅された後にスピーカ（１７）に送られて、該スピーカ（１７）から音声情報に係る音声が出力される。付加情報は、バス（１８）を介してＲＡＭ（１９）に送られる。
【００１６】
ＣＰＵ（２０）は、デジタル放送受信機（１）の統括的な制御を行うものであり、バス（１８）を介して、チューナ部（１３）やデコーダ部（１４）等のデジタル放送受信機（１）における内部装置の制御等を行う。バス（１８）には、ＲＯＭ（２１）が接続されており、該ＲＯＭ（２１）には、ＣＰＵ（２０）により実行される各種制御用プログラムが記憶されている。また、バス（１８）には、使用者がデジタル放送受信機（１）を操作するための各種つまみやボタン等から構成される操作部（２２）が接続されている。
【００１７】
さらに、バス（１８）には、文字及び数字等に対応するドットパターンデータを記憶したキャラクタジェネレータＲＯＭ（２３）が接続されており、ＲＡＭ（１９）に記憶された付加情報が文字情報である場合、又は付加情報に文字情報が含まれる場合、ＣＰＵ（２０）は、文字情報を構成する各文字コードに対応するドットパターンデータをキャラクタジェネレータＲＯＭ（２３）から読み出して、文字情報を表示する画像データを作成し、画像メモリ（２４）に記憶する。画像メモリ（２４）に記憶された画像データは、表示部（１１）を駆動する表示部ドライバ（２５）に送られて、表示部（１１）に文字情報が表示される。付加情報が画像情報である場合、又は付加情報に画像情報が含まれる場合も、ＣＰＵ（２０）は、ＲＡＭ（１９）から画像情報を読み出し、画像メモリ（２４）及び表示部ドライバ（２５）を介して表示部（１１）に画像情報を表示させる処理を行う。表示部（１１）には、例えば、ドットマトリックス型のＬＣＤ（Ｌｉｑｕｉｄ  Ｃｒｙｓｔａｌ  Ｄｉｓｐｌａｙ）が使用される。
【００１８】
デジタル放送受信機（１）は、検査モードで動作可能であり、該検査モードでは、チューナ部（１３）やデコーダ部（１４）等の内部装置から、動作状態情報がバス（１８）を介してＲＡＭ（１９）に送られ、ＣＰＵ（２０）は、ＲＡＭ（１９）に記憶された動作状態情報を読み出して表示部（１１）に表示する処理を行う。キャラクタジェネレータＲＯＭ（２３）には、バーコードキャラクタに対応するドッドパターンデータが記憶されており、ＣＰＵ（２０）は、動作状態情報を一連のドッドパターンデータに変換して、動作状態情報をバーコード表示する画像データを作成し、画像メモリ（２４）に記憶する。該画像データは、表示部ドライバ（２５）を介して表示部（１１）に表示される。
【００１９】
動作状態情報は、デジタル放送受信機（１）の動作に関係する情報であって（デジタル放送受信機（１）が受信した放送信号に関する情報も含む）、検査工程において確認される必要があるものであれば、動作状態情報の内容は、特に限定されることはない。動作状態情報には、例えば、チューナ部（１３）に送られた放送信号のレベル、デコーダ部（１４）の復号処理の正否や増幅部（１６）の出力値等が該当する。検査モードにおいては、これらのレベル、正否や出力等を表す数値等が、表示部（１１）にバーコード表示される。動作状態情報は、例えば、図３（ａ）に示すように、表示部（１１）にバーコード表示される。
【００２０】
次に、図２を参照して、検査システム（３）について説明する。先述したように、検査システム（３）は、本体部（５）、スキャナ（７）及びシグナルジェネレータ（９）を含んでいる。スキャナ（７）は、デジタル放送受信機（１）の表示部（１１）に、バーコードで表示された動作状態情報を光学的に読み取る手段であり、例えばＣＣＤ（Ｃｈａｒｇｅ  Ｃｏｕｐｌｅｄ  Ｄｅｖｉｃｅ）等の固体撮像素子を具えたカメラ部（図示せず）と、該カメラ部によって得られた表示部（１１）を写した撮像データを処理して、バーコードキャラクタを判別して該撮像データから動作状態情報を取り出す処理部（図示せず）とを具えている。図１に示すように、スキャナ（７）は、通信ケーブルを介して本体部（５）と相互にデータ通信可能であり、スキャナ（７）で読み取られた動作状態情報は本体部（５）に送られ、また、スキャナ（７）の動作は、本体部（５）により制御される。
【００２１】
シグナルジェネレータ（９）は、デジタル放送受信機（１）を試験的に動作させる検査用のＲＦ信号を、アンテナ（９１）を介して電波として発信する。図１に示すように、シグナルジェネレータ（９）は、本体部（５）と通信ケーブルを介して接続されており、シグナルジェネレータ（９）の動作は、本体部（５）により制御される。
【００２２】
本体部（５）は、ＰＣで構成されており、ＣＰＵ（５１）、ＲＯＭ（５２）、ＲＡＭ（５３）、ハードディスク装置（５４）、通信インターフェイス（５５）、表示部（５６）、操作部（５７）、及びこれらの構成要素が接続されるバス（５８）を含んでいる。ＣＰＵ（５１）は、本体部（５）、さらには、検査システム（３）の統括的な制御を行うものであり、ＲＯＭ（５２）には、ＣＰＵ（５１）によって実行される各種制御用プログラムが記憶されている。ＲＡＭ（５３）は、ＣＰＵ（５１）の処理に伴うデータを一時的に記憶するために、さらには、ＣＰＵ（５１）によって実行される検査用プログラムを一時的に記憶するために用いられる。
【００２３】
ハードディスク装置（５４）は、動作状態情報を記録する記録手段であり、デジタル放送受信装置（１）の動作状態情報は、例えば、その製造番号と対応づけられてデータベースとして記録される。また、ハードディスク装置（５４）には、検査工程においてＣＰＵ（５１）によって実行される検査用プログラムも格納されている。
【００２４】
通信インターフェイス（５５）は、本体部（５）と外部機器との間でデータの送受を可能とする回路であり、本体部（５）とスキャナ（７）を接続する通信ケーブルと、本体部（７）とシグナルジェネレータ（９）とを接続する通信ケーブルとが接続されている。表示部（５６）は、ＣＲＴ（Ｃａｔｈｏｄｅ  Ｒａｙ  Ｔｕｂｅ）又はＬＣＤ等を具えており、動作状態情報や該動作状態情報に基づく検査結果等を表示する。操作部（５７）は、キーボード及びマウス等から構成されており、オペレータが検査システム（３）を操作するために使用される。
【００２５】
以下、上記の検査システム（３）を用いたデジタル放送受信機（１）の検査方法について説明する。図４は、該検査方法の内容を示すフローチャートである。まず、オペレータが本体部（５）の操作部（５７）を操作して、検査用プログラムが起動する（Ｓ１）。検査用プログラムは、ハードディスク装置（５４）から読み出されてＲＡＭ（５３）に記憶される。この状態において、デジタル放送受信機（１）の設置が行われる（Ｓ２）。デジタル放送受信機（１）は、給電されて動作可能な状態で、スキャナ（７）によって表示部（１１）の画面が撮像可能な位置に配置される。これにて、検査システム（３）がデジタル放送受信機（１）の検査を行う準備は完了する。
【００２６】
次に、オペレータが操作部（５７）を操作することにより、検査システム（３）は検査処理を開始する（Ｓ３）。検査システム（３）は、シグナルジェネレータ（９）に指示を送り、該シグナルジェネレータ（９）から、所定の第１検査項目に対応した第１検査信号が発せられる（Ｓ４）。デジタル放送受信機（１）は該検査信号の受信動作を行い、動作状態情報がデジタル放送受信機（１）のＲＡＭ（１９）に記憶される（Ｓ５）。そして、デジタル放送受信機（１）のＣＰＵ（２０）は、ＲＡＭ（１９）に記憶された動作状態情報を読み出して、表示部（１１）にバーコード表示する処理を行う（Ｓ６）。
【００２７】
検査システム（３）のスキャナ（７）は、デジタル放送受信機（１）の表示部（１１）にバーコード表示された動作状態情報を読み取って、本体部（５）に送信する（Ｓ７）。本体部（５）のＣＰＵ（５１）は、スキャナ（７）から動作状態情報を受信したか否かを確認し（Ｓ８）、受信できなかった場合は、スキャナ（７）に指示を送り、再度ステップＳ７の処理が行われる。ステップＳ７の処理が所定回数行われたか否かが判断されて（Ｓ９）、ステップＳ７の処理が所定の回数繰り返し行われた場合は処理は中止されて、本体部（５）の表示部（５６）にエラー表示がなされる（Ｓ１０）。
【００２８】
ステップＳ８において、動作状態情報を受信したと判断された場合、動作状態情報は、通信インターフェイス（５５）及びバス（５８）を介してハードディスク装置（５４）に記憶され、本体部（５）の表示部（５６）に表示される（Ｓ１１）。ＣＰＵ（５１）が、動作状態情報がデジタル放送受信機（１）の正常な動作を示しているか否かを判断し、その結果が動作状態情報と共に記録及び表示されてもよい。このように第１検査項目に対応した検査処理が終了すると、本体部（５）のＣＰＵ（５１）は、終了した検査処理が最後の検査項目に対応したものであるか否かを判断する（Ｓ１２）。次の検査項目がある場合は、上記のステップＳ４乃至Ｓ１１が繰り返し行われる。例えば、放送信号の受信レベルが異なってもデジタル放送受信機（１）が正常に動作するか否かが検査される場合、レベルの異なる検査信号が、夫々ステップＳ４にてシグナルジェネレータ（９）から送信される。最後の検査項目に対応した検査処理が終了すると、デジタル放送受信機（１）の検査は終了する。そして、検査対象となるデジタル放送受信機（１）の交換がなされて、新たなデジタル放送受信機（１）について、ステップＳ３以降の処理が行われる。
【００２９】
動作状態情報は、上記のようなバーコード表示に代えて、図３（ｂ）に示すように、表示部（１１）に２次元コード表示されてもよい。図３（ｂ）では、動作状態情報がデータマトリックス方式で２次元コード表示されている状態を示しているが、漢字を表現することが可能なＱＲコード方式を採用してもよい。ＱＲコード方式を採用すると、検査工程において日本語の文字情報が正しく受信されているか否かを確認することが容易になる。さらに、動作状態情報をコード表示ではなく、図３（ｃ）に示すように表示部（１１）に文字表示（数字及び記号等を含む）させて、表示された動作状態情報をＯＣＲ（Ｏｐｔｉｃａｌ  Ｃｈａｒａｃｔｅｒ  Ｒｅｃｏｇｎｉｔｉｏｎ）を用いて読み取ることも可能である。
【００３０】
上記の実施例では、検査対象となる電子機器を、デジタルラジオ放送を受信するデジタル放送用受信機としていたが、本発明を、アナログラジオ放送を受信する放送用受信機やデジタルテレビジョン放送を受信する放送用受信機等に適用してもよい。また、本発明は、放送用受信機の検査方法に限定されることはなく、デジタルスチルカメラやデジタルビデオカメラ等の表示部を具える電子機器に広く適用することが可能である。
【００３１】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【図１】本発明の電子機器の検査方法に係るデジタル放送受信機及び検査システムを示す斜視図である。
【図２】本発明の電子機器の検査方法に係るデジタル放送受信機及び検査システムを示すブロック図である。
【図３】図３（ａ）は、本発明の電子機器の検査方法に係るデジタル放送受信機の表示部に動作状態情報がバーコード表示された状態を示す説明図、図３（ｂ）は、同表示部に動作状態情報が２次元コード表示された状態を示す説明図、図３（ｃ）は、同表示部に動作状態情報が文字表示された状態を示す説明図である。
【図４】本発明の電子機器の検査方法を説明するフローチャートである。
【符号の説明】
（１）          デジタル放送受信機
（７）          スキャナ
（９）          シグナルジェネレータ
（１１）        表示部
（５４）        ハードディスク装置
【図１】
2005017247.tif 000003
【図２】
2005017247.tif 000004
【図３】
2005017247.tif 000005
【図４】
2005017247.tif 000006